(57)【特許請求の範囲】
【請求項１】
表面側に一次情報記入部と二次情報記入部が設けられてなる上位シートの裏面側に下位シートが重ね合わされ分離可能に一体化されている前記上位シートと下位シートとの二枚のシートからなり、
下位シート表面側の前記上位シートの一次情報記入部に対応する部分に一次情報複写部が設けられていて、上位シートの一次情報記入部に対応する上位シートの裏面側に発色剤マイクロカプセル剤を設け、下位シート表面の一次情報複写部に顕色剤を設けて、下位シート表面の一次情報複写部が、上位シート表面の一次情報記入部に記入した情報が下位シート表面の前記一次情報複写部に複写されるノーカーボン複写方式による複写構成を備え、
上位シート表面の二次情報記入部のみに筆記特性が増すように白色顔料を添加して調製された顕色剤を設け、この二次情報記入部に対応する上位シート裏面側に発色剤マイクロカプセル剤を設けて、上位シート表面の二次情報記入部が、下位シートから分離した上位シート同士による重ね合わせでの上位となる二次情報記入部に記入した情報が前記上位シート同士による重ね合わせでの下位となる二次情報記入部に複写されるノーカーボン複写方式による複写構成を備えているものであることを特徴とする感圧複写シート組。
【発明の詳細な説明】
【０００１】
【発明の属する技術分野】
本発明は、発色剤マイクロカプセル剤を有した上位シートと、この発色剤を発色せしめるクレーやレジンからなる顕色剤塗料もしくは顕色剤インキからなる顕色剤を有した下位シートで構成されたノーカーボン型感圧複写シート組に関し、さらに詳しくは、配送、在庫管理等の業務分野において上位シートへ記入した情報を下位シートへ複写させた後、複数の感圧複写シート組から分離した上位シートを集め、重ね合わせ、その最上位のシートに記入した情報を重ね合せた各々の上位シートに複写させるようにした感圧複写シート組に関する。
【０００２】
【従来の技術】
従来の配送、在庫管理等の業務分野における感圧複写シート組の例示的な使用法は、例えば、上位シートに記入した情報を下位シートに複写させ、両者を分離した後、下位シートを配布品や在庫品に添付あるいは貼付し、下位シートを取扱人が収集し、収集された上位シートを保存し、集計、管理等の業務に利用するものである。
【０００３】
ある在庫管理伝票組の使用法においては、取扱人が上位シートに在庫品名、入出庫日、個数、受取人氏名等の所定の一次情報が記入された複数の当該伝票組について、上位シートを手元に残して収集し、これらを利用して集計、管理業務を行い、一方、その一次情報が複写された下位シートを入出庫品に添付するものである。
【０００４】
【発明が解決しようとする課題】
しかしながら、このように一次情報を記入、複写した後のそれぞれの感圧複写シート組から上位シートのみを集め、重ね合わせ、この集合体の最上位のシートに所定の複写機能をもって、一連の二次情報、例えば、取扱人氏名、取扱日、集合体のＩＤナンバー等の二次情報を記入し、この集合体の各々の上位シートに一括して二次情報の複写をとるという構成は、従来、この種の感圧複写シート組の技術分野においては開示されていなかった。
【０００５】
そこで、本発明は、感圧複写用シート組において、各々の上位シートへ記入した一次情報を下位シートへ複写させ、上位シートと下位シートとを分離した後、複数の感圧複写用シート組から上位シートのみを集め、重ね合わせ、その最上位のシートに二次情報を記入し、これを重ね合せた各々の上位シートに、この二次情報を複写させるようにした感圧複写シート組の提供を課題とする。
【０００６】
【課題を解決するための手段】
かかる課題を達成するため、本発明の感圧複写シート組は、表面側に一次情報記入部と二次情報記入部が設けられてなる上位シートの裏面側に下位シートが重ね合わされ分離可能に一体化されている前記上位シートと下位シートとの二枚のシートからなり、下位シート表面側の前記上位シートの一次情報記入部に対応する部分に一次情報複写部が設けられていて、上位シートの一次情報記入部に対応する上位シートの裏面側に発色剤マイクロカプセル剤を設け、下位シート表面の一次情報複写部に顕色剤を設けて、下位シート表面の一次情報複写部が、上位シート表面の一次情報記入部に記入した情報が下位シート表面の前記一次情報複写部に複写されるノーカーボン複写方式による複写構成を備え、上位シート表面の二次情報記入部のみに筆記特性が増すように白色顔料を添加して調製された顕色剤を設け、この二次情報記入部に対応する上位シート裏面側に発色剤マイクロカプセル剤を設けて、上位シート表面の二次情報記入部が、下位シートから分離した上位シート同士による重ね合わせでの上位となる二次情報記入部に記入した情報が前記上位シート同士による重ね合わせでの下位となる二次情報記入部に複写されるノーカーボン複写方式による複写構成を備えているものであることを特徴とする。
【０００７】
【発明の実施の形態】
以下、本発明の感圧複写シート組を在庫管理伝票組とした好適な実施例およびその図面に基づき、さらに詳述する。なお、ここにおいて、図１は本発明の感圧複写シート組の概略的斜視図、図２は図１の感圧複写シート組における上位シートの裏面平面図、図３は図１のＸ−Ｘ線断面図、図４は複数の図１の感圧複写シート組から上位シートのみを集め、重ね合わせ、最上位のシートに二次情報を記入した状態説明図、図５は図４のＹ−Ｙ線断面図である。
【０００８】
図１に示すように、本実施例の感圧複写シート組１は、在庫管理伝票として構成され、取扱人が手元に置いて、集計、管理業務を行うための上位シート２と、取扱人が入出庫品に添付して確認するための上位シート２に記入された一次情報が複写される下位シート３が線糊部Ｇおよび切取りミシン線Ｍにより分離可能に綴じ合わされてなる。
【０００９】
上位シート２は通常の上質紙で構成され、その基材４表面には、品名、入出庫日、個数、受取人氏名等の項目からなる一次情報記入部５および取扱人氏名、取扱日、集合体のＩＤナンバー等からなる二次情報記入部６が設けられ、さらに、二次情報記入部６の上面には顕色剤Ｂが施されていると共に、その基材４裏面には、図２および図３に示すように、一次情報記入部５および二次情報記入部６に対応して発色剤マイクロカプセル剤Ａが施されている。そして、下位シート３は、その基材４表面の全域に顕色剤Ｂが施されてなる感圧複写下用紙で構成され、その表面には一次情報記入部５と同じフォーマットからなる一次情報複写部５ｆが設けられている。
【００１０】
本発明で利用される発色剤マイクロカプセル剤Ａは、感圧複写上用紙の構成で用いられるような、発色剤マイクロカプセル生成液をポリビニルアルコール等の水性バインダ、デンプン等の保護材などに混合させて得た水性塗料タイプのものでも良いが、好ましくは、従来公知のフレキソインキタイプのものやホットメルトタイプのインキ化されたものが良く、より好ましくは、特開平７−２１６２７３号公報や特開平８−３９９２８号公報で開示されたマイクロカプセル含有油性塗液およびその製造方法に基づき調整された発色剤マイクロカプセルインキを用いるのが良い。
【００１１】
この発色剤マイクロカプセル剤インキは、例えば、芯物質の発色剤をロイコ系染料とし、酸触媒および乳化機能を有するスチレン−無水マレイン酸の部分加水分解物と、メラミンまたは尿素とホルマリンあるいは、これらのプレポリマを用い、インサイチュ法によって尿素−ホルマリン樹脂を形成し、これをカプセル壁材として生成した発色剤マイクロカプセルについて、そのカプセル壁材を覆うような状態で、カプセル壁材およびインキビヒクルの双方に親和性のある溶剤層、例えば、低級アルコールからなる層を設け、さらに真空蒸留法を利用して、水分を選択的に気化し、除去することで、水系で生成された発色剤マイクロカプセルを溶剤層に被覆された状態でインキビヒクル中に分散状態で置換せしめて得たものである。
【００１２】
このように調整された発色剤マイクロカプセル剤インキであれば、インキビヒクル中のマイクロカプセルは、その生成時の弾力性、強度等の物理的性質を損なうことなく、しかも複数のカプセル同士が結合して肥大化した粒子を形成する、いわゆる二次凝集を生じず、その平均粒径をカプセル生成時と同様に５μｍ以下とすることができるため、印刷ユニットの練りローラによりカプセルが破壊されることはない。したがって、発色剤マイクロカプセルを含有したインキとしては最適である。
【００１３】
また、インキビヒクルを印刷インキに一般的に使用されている紫外線硬化型や酸化重合型のものとすれば、オフセット印刷機等により、上質紙、合成紙あるいは合成フィルム等の印刷用シートの任意の箇所にスポット的に発色剤マイクロカプセル剤を施すことができ、紙厚や坪量あるいはシートの材質等を気にせず、多様なアプリケーションに対応できる。また、従来のように複写させてはいけない部分に対応した下位シートの表面部分に減感インキを施す必要がない。
【００１４】
また、上位シート２の基材４表面に施された顕色剤Ｂは、電子受容性のレジンやクレー、例えば、油溶性のフェノールホルマリン樹脂や酸性白土、あるいは芳香族カルボン酸誘導体を、芳香族炭化水素、アルコール、エステル等の低沸点有機溶剤に、アルキルベンゼンスルホン酸塩等の界面活性剤と共に溶解させて得たもので、顕色剤Ｂの塗布層表面の筆記特性を増すため、さらに好ましくは、酸化チタン、酸化亜鉛、炭酸カルシウム等の白色顔料を添加して顕色剤インキとして調製したものである。
【００１５】
なお、実施例の場合、下位シート３は従来の感圧複写下用紙で構成されているため、その基材４の表面に施された顕色剤Ｂは、上記レジンやクレーおよび白色顔料等をスターチ等の水性バインダに混合させ、専用コーターにて施されたものであるが、この顕色剤Ｂは上記のインキタイプのものでもよく、例えば、下位シート３を従来の感圧複写下用紙とせず、通常の上質紙とするような場合には、この顕色剤Ｂを上記のインキタイプに置き換えてもよい。
【００１６】
このように構成された感圧複写シート組１では、上位シート２表面の一次情報記入部５に一次情報７が記入され、この一次情報７が下位シート３表面の一次情報複写部５ｆに複写（図示せず）される。そして、複数の感圧シート組１から、それぞれ上位シート２と下位シート３を分離した後、図４および図５に示すように、上位シート２のみを集め、重ね合わせ、複数の上位シート２からなる集合体Ｌを構成し、取扱人がその集合体Ｌの最上位のシートにおける二次情報記入部６に取扱人氏名、取扱日、集合体ＬのＩＤナンバー等の二次情報８を記入すると、各々の上位シート２裏面の発色剤マイクロカプセル剤Ａと各々の上位シート２表面の二次情報記入部６上面の顕色剤Ｂとが対接するため、この二次情報８が各々の上位シート２の二次情報記入部６に二次複写情報８ｆとして複写される。
【００１７】
【発明の効果】
以上述べたように、本発明の感圧複写シート組によれば、上位シートへ記入した一次情報を下位シートへ複写させ、両者を分離した後、複数の感圧複写シート組から上位シートのみを集め、重ね合わせ、その最上位のシートに記入した二次情報を重ね合せた各々の上位シートに複写でき、集計、管理等の業務に利用できる。とりわけ、通常の印刷用紙に対し、発色剤マイクロカプセル剤インキおよび顕色剤インキを用いて上位シートを作成することにより、紙厚や坪量あるいはシートの材質等を気にせず、多様なアプリケーションに対応でき、また、複写させてはいけない部分に対応した下位シートの表面部分に減感を施す必要がないといった効果を奏する。
【図面の簡単な説明】
【図１】  本発明の感圧複写シート組の概略的斜視図。
【図２】  図１の感圧複写シート組における上位シートの裏面平面図。
【図３】  図１のＸ−Ｘ線断面図。
【図４】  複数の図１の感圧複写シート組から上位シートのみを集め、重ね合わせ、最上位のシートに二次情報を記入した状態説明図。
【図５】  図４のＹ−Ｙ線断面図。
【符号の説明】
１  感圧複写シート組
２  上位シート
３  下位シート
４  基材
５  一次情報記入部
５ｆ  一次情報複写部
６  二次情報記入部
Ａ  発色剤マイクロカプセル剤
Ｂ  顕色剤
Ｃ  自己発色剤
Ｌ  上位シートの集合体
７  一次情報
８  二次情報
８ｆ  二次複写情報
【図１】
0003894508.tif 000002
【図２】
0003894508.tif 000003
【図３】
0003894508.tif 000004
【図４】
0003894508.tif 000005
【図５】
0003894508.tif 000006